(57)【要約】【課題】不正侵入者に在宅か不在かを判断できないようにするとともに、施錠部材の手による挿入作業を省略することができる防犯錠を提供すること。【解決手段】施錠部材５を、施錠部材保持片３の挿入位置で受座６を介して開き戸１に固定し、該受座６により開き戸１の固定面に沿い移動可能に支持するとともに、施錠部材５と受座６との間に、施錠部材５を移動位置で保持する位置保持部材７を配設する。【選択図】図１
2005098062.tif 000002
【特許請求の範囲】
【請求項１】
開き戸の戸枠側に、開き戸の開き方向に突出する施錠部材保持片を取り付け、該施錠部材保持片に施錠部材を装着し、該施錠部材を開き戸に当接させることにより施錠を行う防犯錠において、前記施錠部材を、施錠部材保持片の挿入位置で開き戸に固定するようにしたことを特徴とする防犯錠。
【請求項２】
前記施錠部材を、施錠部材保持片の挿入位置で受座を介して開き戸に固定し、該受座により開き戸の固定面に沿い移動可能に支持したことを特徴とする請求項１記載の防犯錠。
【請求項３】
施錠部材と受座との間に、施錠部材を保持する位置保持部材を配設したことを特徴とする請求項２記載の防犯錠。
【請求項４】
開き戸に施錠部材保持片に隣接して施錠部材の受座を設けるとともに、該受座又は施錠部材に、施錠部材を受座に沿いスライド移動させることにより相手側に掛合するフック片を設け、該フック片の掛合位置で施錠部材を施錠部材保持片に挿入するようにしたことを特徴とする請求項１、２又は３記載の防犯錠。
【発明の詳細な説明】
【技術分野】
【０００１】
本発明は、例えば、マンション等の開き戸（扉）に後付けの補助錠として使用する防犯錠に関し、特に、不正侵入者に在宅か不在かを判断できないようにするとともに、施錠部材の手による挿入作業を省略することができる防犯錠に関するものである。
【背景技術】
【０００２】
近年、ピッキングによる盗難対策として、マンション等の開き戸に後付けの防犯錠が設置される機会が多くなっている。
この防犯錠としては、開き戸の戸枠側に、開き戸の開き方向に突出する施錠部材保持片を取り付け、この施錠部材保持片に施錠部材を装着し、この施錠部材を開き戸に外側から当接させることにより施錠を行う防犯錠が知られている（例えば、特許文献１参照）。
【０００３】
【特許文献１】特開平９−１００６６５号公報
【０００４】
ところで、上記従来の防犯錠においては、在宅時は施錠部材を取り外し、外出時に施錠部材を取り付けることから、外から見ただけで不正侵入者から「在宅か不在なのか」がわかってしまい防犯上好ましくなかった。
また、この従来の防犯錠は、出かけるときには、扉を閉めたあとに施錠部材を施錠部材保持片にその都度挿入しなければならないという手間があった。
【発明の開示】
【発明が解決しようとする課題】
【０００５】
本発明は、上記従来の防犯錠が有する問題点に鑑み、不正侵入者に在宅か不在かを判断できないようにするとともに、施錠部材の手による挿入作業を省略することができる防犯錠を提供することを目的とする。
【課題を解決するための手段】
【０００６】
上記目的を達成するため、本発明の防犯錠は、開き戸の戸枠側に、開き戸の開き方向に突出する施錠部材保持片を取り付け、該施錠部材保持片に施錠部材を装着し、該施錠部材を開き戸に当接させることにより施錠を行う防犯錠において、前記施錠部材を、施錠部材保持片の挿入位置で開き戸に固定するようにしたことを特徴とする。
【０００７】
この場合において、前記施錠部材を、施錠部材保持片の挿入位置で受座を介して開き戸に固定し、該受座により開き戸の固定面に沿い移動可能に支持することができる。
【０００８】
そして、施錠部材と受座との間に、施錠部材を保持する位置保持部材を配設することができる。
【０００９】
また、開き戸に施錠部材保持片に隣接して施錠部材の受座を設けるとともに、該受座又は施錠部材に、施錠部材を受座に沿いスライド移動させることにより相手側に掛合するフック片を設け、該フック片の掛合位置で施錠部材を施錠部材保持片に挿入することができる。
【発明の効果】
【００１０】
本発明の防犯錠によれば、開き戸の戸枠側に、開き戸の開き方向に突出する施錠部材保持片を取り付け、該施錠部材保持片に施錠部材を装着し、該施錠部材を開き戸に当接させることにより施錠を行う防犯錠において、前記施錠部材を、施錠部材保持片の挿入位置で開き戸に固定することから、施錠部材は常に開き戸に固定されたままとなり、これにより、不正侵入者は在宅か不在かを判断することができないため、防犯効果を向上させることができる。
また、施錠部材が施錠部材保持片の挿入位置で開き戸に固定されることから、開き戸を閉めた際に自動的に施錠部材が施錠部材保持片に挿入されることになり、これにより、手による施錠部材の挿入作業を省略し、通常の１ドア・ツーロックの感覚で簡単に使用することができる。
【００１１】
また、開き戸を長期的に使用すると扉が下がること等により施錠位置が変動することになるが、施錠部材を受座により移動可能に支持することにより、施錠部材と施錠部材保持片の位置が多少ずれたとしても、施錠部材が自動的に移動してその位置を保持することができ、これにより、使用者は常に調子よくこの防犯錠を使用することができる。
【００１２】
また、施錠部材と受座との間に、施錠部材を保持する位置保持部材を配設することにより、施錠部材と受座の位置関係を最適な状態に保持することができる。
【００１３】
また、開き戸に施錠部材保持片に隣接して施錠部材の受座を設けるとともに、該受座又は施錠部材に、施錠部材を受座に沿いスライド移動させることにより相手側に掛合するフック片を設け、該フック片の掛合位置で施錠部材を施錠部材保持片に挿入することにより、挿入した施錠部材保持片により施錠部材のスライド移動を止めて、施錠部材を受座から外れないようにすることができ、これにより、解錠状態で扉を閉めた際のいたずら等による施錠部材の取り外しを防止することができる。
そして、扉を開き、施錠部材を施錠部材保持片から抜いてスライド移動可能にすることにより、受座から施錠部材を簡単に取り外すことができる。
【発明を実施するための最良の形態】
【００１４】
以下、本発明の防犯錠の実施の形態を、図面に基づいて説明する。
【実施例１】
【００１５】
図１〜図８に、本発明の防犯錠の一実施例を示す。
この防犯錠は、図１に示すように、開き戸１の戸枠２の一部に、開き戸の開き方向に突出する施錠部材保持片３を取り付けるとともに、この施錠部材保持片３に施錠部材５を装着し、該施錠部材５を開き戸１に外側から当接させることにより施錠を行うように構成されている。
そして、この防犯錠は、図１〜図３に示すように、前記施錠部材５を、施錠部材保持片３の挿入位置で受座６を介して開き戸１に固定し、該受座６により開き戸１の固定面に沿い移動可能に支持するとともに、施錠部材５と受座６との間に、施錠部材５を移動位置で保持する位置保持部材７としてのマグネットを配設している。
【００１６】
施錠部材保持片３には、図６〜図８に示すように、施錠用係止部としての透孔３１が形成されている。
この施錠部材保持片３は、通常は延設した基部をビス止めすることにより戸枠２に固定されるが、本実施例では、図６〜図８に示すように、この施錠部材保持片３は、クランプホルダー４を介して戸枠２に取り付けられている。
クランプホルダー４は、ホルダー本体４１に回動可能に枢支したねじボルト４２に把持片４３を螺合させており、これにより、ねじボルト４２を軸方向に出没させることなく把持片４３のみを移動させ、クランプホルダー４を戸枠２に固定できるようにしている。
【００１７】
施錠部材５は、特に限定されるものではないが、例えば、特願２００３−２００３８３において開示した施錠部材の構成（図９に示すように、本体５０に、錠機構として、シリンダ錠５１と、シリンダ錠５１と反対側に形成され、施錠部材保持片３が挿入されるスリット状の穴５３とを有し、シリンダ錠５１に鍵５２を差し込んで回すことにより、スリット状の穴５３の奥に出没可能に設けられたラッチボール５４を突出状態で固定するようにし、スリット状の穴５３に挿入された施錠部材保持片３の透孔３１を、このラッチボール５４で係止することにより、これら施錠部材保持片３に施錠できるようにした構成）を採用することができる。
このように、施錠部材５に施錠部材保持片３が挿入されるスリット状の穴５３を形成し、スリット状の穴５３の奥に出没可能に設けられたラッチボール５４を突出状態で固定するようにしているので、ラッチボール５４が外部に露出せず、このため、不正開錠がされにくいという利点がある。
【００１８】
受座６は、図１〜図４に示すように、施錠部材５の裏面に固定される上下１対の爪部材６１と、該爪部材６１を上下左右に摺動可能に嵌挿させる受座本体６２とを備えている。
爪部材６１は、施錠部材５の裏面からやや浮いた状態で対向方向に延設された所定幅の薄板からなり、受座本体６２は、この薄板からなる爪部材６１を開き戸１の固定面に沿い移動可能に嵌挿させる薄いチャネル形状の筒板状に形成されている。
受座６は、本実施例では、粘着テープ６３によって開き戸１に固定されているが、図５に示すように、ビス孔６４を設けてビス固定することも可能である。
【００１９】
位置保持部材７は、図１〜図２に示すように、本実施例では、施錠部材５の裏面に固定され、かつ受座本体６２の溝部６５に移動可能に遊嵌された状態で、磁性体の受座本体６２に吸着するマグネットにより構成されている。
この位置保持部材７は、施錠部材５の摺動に抵抗を付与することにより、受座６に対し施錠部材５を移動位置で仮固定状態で保持するものであり、例えば、このマグネットに代えて、施錠部材５と受座６との間に介装される圧縮ばね（図示省略）によっても構成することができる。
【００２０】
一方、本実施例の防犯錠は、図６〜図８に示すように、施錠部材保持片３とクランプホルダー４とを室内側で分離可能に構成することにより、施錠部材５が施錠状態のときに、施錠部材保持片３とクランプホルダー４とを室内側で分離して解錠できるようにしている。
【００２１】
施錠部材保持片３とクランプホルダー４とを室内側で分離可能にする機構として、具体的には、クランプホルダー４にロックプレート４４をばね４５の付勢力に抗して押し下げ操作可能に配設し、ロックプレート４４に形成した係止爪４４ａと、施錠部材保持片３の基端側に形成した係止孔３２とを嵌合させることにより、施錠部材保持片３とクランプホルダー４とを一体化させ、さらに、ロックプレート４４をばね４５の付勢力に抗して押し下げ操作することにより、ロックプレート４４に形成した係止爪４４ａと、施錠部材保持片３の基端側に形成した係止孔３２との嵌合を解除し、施錠部材保持片３とクランプホルダー４とを室内側で分離できるようにしている。
【００２２】
この場合、ロックプレート４４は、図７及び図８に示すように、クランプホルダー４に固定したベース４６上にばね４５を介して設置し、カバー４７で覆うことにより配設するようにする。
そして、この状態で、係止孔３２を形成した施錠部材保持片３の基端側をカバー４７内に挿入することにより、ロックプレート４４に形成した係止爪４４ａと、施錠部材保持片３の基端側に形成した係止孔３２とを嵌合させ、施錠部材保持片３とクランプホルダー４とを一体化させるようにする。
【００２３】
これにより、施錠部材５が施錠状態のときに、施錠部材保持片３と取付部材としてのクランプホルダー４を室内側で分離して解錠でき、これにより、いたずらの施錠による部屋への閉じ込めを防止するとともに、施錠時の室内からの緊急脱出を可能にすることができる。
そして、特に、本実施例に示すように、ロックプレート４４、より具体的には、ロックプレート４４に形成した押釦４４ｂをばね４５の付勢力に抗して押し下げ操作して、ロックプレート４４に形成した係止爪４４ａと、施錠部材保持片３の基端側に形成した係止孔３２との嵌合を解除し、施錠部材保持片３とクランプホルダー４とを室内側で分離できるようにすることにより、子供でも解錠を行うことができ、これにより、安全性を一層向上することができる。
【００２４】
かくして、本実施例の防犯錠は、開き戸１の戸枠２側に、開き戸１の開き方向に突出する施錠部材保持片３を取り付け、該施錠部材保持片３に施錠部材５を装着し、該施錠部材５を開き戸１に当接させることにより施錠を行う防犯錠において、前記施錠部材５を、施錠部材保持片３の挿入位置で受座６を介して開き戸１に固定し、該受座６により開き戸１の固定面に沿い移動可能に支持するとともに、施錠部材５と受座６との間に、施錠部材５を移動位置で保持する位置保持部材７を配設することから、施錠部材５は常に開き戸１に固定されたままとなり、これにより、不正侵入者は在宅か不在かを判断することができないため、防犯効果を向上させることができる。
また、施錠部材５が施錠部材保持片３の挿入位置で開き戸１に固定されることから、開き戸１を閉めた際に自動的に施錠部材５が施錠部材保持片３に挿入されることになり、これにより、手による施錠部材５の挿入作業を省略し、通常の１ドア・ツーロックの感覚で簡単に使用することができる。
また、開き戸１を長期的に使用すると扉が下がること等により施錠位置が変動することになるが、施錠部材５を受座６により移動可能に支持するとともに、位置保持部材７により移動位置を保持することにより、施錠部材５と施錠部材保持片３の位置が多少ずれたとしても、施錠部材５が自動的に移動してその位置を保持することができ、これにより、使用者は常に調子よくこの防犯錠を使用することができる。
【実施例２】
【００２５】
次に、本発明の防犯錠の第２実施例を、図１０〜図１３を参照して説明する。
この防犯錠は、図１０に示すように、開き戸１の戸枠２の一部に、開き戸１の開き方向に突出する施錠部材保持片３を取り付けるとともに、この施錠部材保持片３に施錠部材５を装着し、該施錠部材５を開き戸１に外側から当接させることにより施錠を行うように構成されている。
そして、この防犯錠は、開き戸１に施錠部材保持片３に隣接して施錠部材５の受座６を設けるとともに、該受座６に、施錠部材５を受座６に沿いスライド移動させることにより施錠部材５に掛合するフック片６６を設け、該フック片６６の掛合位置で施錠部材５を施錠部材保持片３に挿入するようにしている。
また、この防犯錠は、施錠部材５を、受座６により開き戸１の固定面に沿い移動可能に支持するとともに、施錠部材５と受座６との間に、施錠部材５を移動位置で保持するマグネットからなる位置保持部材７を配設している。
【００２６】
施錠部材保持片３には、図１３に示すように、施錠用係止部としての透孔３１が形成されており、この透孔３１は、施錠部材５の挿入方向に長い長円に形成されることにより、取り付ける扉の厚みに対応している。
この施錠部材保持片３は、第１実施例と同様に、クランプホルダー４を介して戸枠２に取り付けられている。
クランプホルダー４は、ホルダー本体４１に回動可能に枢支したねじボルト４２に把持片４３を螺合させており、これにより、ねじボルト４２を軸方向に出没させることなく把持片４３のみを移動させ、クランプホルダー４を戸枠２に固定できるようにしている。
【００２７】
施錠部材５は、図１１に示すように、第１実施例と同様、施錠部材５に施錠部材保持片３が挿入されるスリット状の穴５３を形成し、スリット状の穴５３の奥に出没可能に設けられたラッチボール（図示省略）を突出状態で固定するようにしている。
この施錠部材５の底壁には、受座６のフック片６６が挿入される１対の孔５５が形成されており、フック片６６をこの孔５５に挿入して施錠部材５をスライド移動させるとともに、マグネットからなる位置保持部材７で受座６に吸着することにより、フック片６６を孔５５縁部に掛合させた状態を保持し、施錠部材５の受座６からの離反や脱落を防止することができる。
また、孔５５は、フック片６６より上下幅が広く形成されており、これにより、位置保持部材７により仮位置を保持しながら、受座６に対する施錠部材５の上下移動を許容している。
【００２８】
受座６は、図１２に示すように、一端に位置決め片６７が形成された磁性体の金属板からなり、施錠部材保持片３の側方で、開き戸１に粘着テープ６３により固定されている。
受座６には、施錠部材５に掛合する１対のフック片６６が設けられており、各フック片６６は、図１０に示すように、押し当てた施錠部材５を施錠部材保持片３側にスライド移動させることにより、施錠部材５の底壁に形成された孔５５の縁部５６に掛合する。
そして、このフック片６６の掛合位置で施錠部材５が施錠部材保持片３に挿入されるように、受座６を開き戸１に固定することにより、施錠部材保持片３により施錠部材５のスライド移動を止めて、フック片６６の掛合状態を固定し、施錠部材５を受座６から外れないようにしている。
なお、本実施例では、フック片６６を受座６に設けるようにしているが、フック片を施錠部材５側に設けるようにし、この施錠部材５のフック片を、受座６側に形成した孔縁部に掛合させることもできる。
また、受座６は、粘着テープ６３の代わりにビス等で固定することもできるが、扉を閉じた状態で施錠部材５を外そうとする場合は、施錠部材５に挿入される施錠部材保持片３により、粘着テープ６３に直交する方向の外力しか受けることがないため、容易には剥がれることがない。
【００２９】
位置保持部材７は、図１０〜図１１に示すように、本実施例では、施錠部材５の裏面に固定されたマグネットからなり、受座６のフック片６６が施錠部材５の孔縁部５６に掛合した状態で、磁性体の受座６に吸着するようになっている。
位置保持部材７は、このように受座６に吸着することにより、フック片６６の掛合状態を保持しながら、受座６に対する施錠部材５の上下移動を許容している。
【００３０】
かくして、本実施例の防犯錠は、開き戸１の戸枠２側に、開き戸１の開き方向に突出する施錠部材保持片３を取り付け、該施錠部材保持片３に施錠部材５を装着し、該施錠部材を開き戸１に当接させることにより施錠を行う防犯錠において、前記施錠部材５を、施錠部材保持片３の挿入位置で開き戸１に固定することから、施錠部材５は常に開き戸１に固定されたままとなり、これにより、不正侵入者は在宅か不在かを判断することができないため、防犯効果を向上させることができる。
また、施錠部材５が施錠部材保持片３の挿入位置で開き戸１に固定されることから、開き戸１を閉めた際に自動的に施錠部材５が施錠部材保持片３に挿入されることになり、これにより、手による施錠部材５の挿入作業を省略し、通常の１ドア・ツーロックの感覚で簡単に使用することができる。
さらに、開き戸１に施錠部材保持片３に隣接して施錠部材５の受座６を設けるとともに、該受座６又は施錠部材５に、施錠部材５を受座６に沿いスライド移動させることにより相手側に掛合するフック片６６を設け、該フック片６６の掛合位置で施錠部材５を施錠部材保持片３に挿入することから、挿入した施錠部材保持片３により施錠部材５のスライド移動を止めて、施錠部材５を受座６から外れないようにすることができ、これにより、解錠状態で扉を閉めた際のいたずら等による施錠部材５の取り外しを防止することができる。
そして、扉を開き、施錠部材５を施錠部材保持片３から抜いてスライド移動可能にすることにより、受座６から施錠部材５を簡単に取り外すことができる。
また、開き戸１を長期的に使用すると扉が下がること等により施錠位置が変動することになるが、施錠部材５を受座６により移動可能に支持するとともに、位置保持部材７により移動位置を保持することにより、施錠部材５と施錠部材保持片３の位置が多少ずれたとしても、施錠部材５が自動的に移動してその位置を保持することができ、これにより、使用者は常に調子よくこの防犯錠を使用することができる。
【００３１】
以上、本発明の防犯錠について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができる。
【産業上の利用可能性】
【００３２】
本発明の防犯錠は、不正侵入者に在宅か不在かを判断できないようにするとともに、施錠部材の手による挿入作業を省略することができるという特性を有していることから、後付けの防犯錠の用途に好適に用いることができる。
【図面の簡単な説明】
【００３３】
【図１】本発明の防犯錠の第１実施例を示す一部断面平面図である。
【図２】同防犯錠の受座及び位置保持部材の組立工程を示す説明図である。
【図３】受座及び位置保持部材を取り付けた施錠部材を示し、（ａ）は正面図、（ｂ）は側面図、（ｃ）は背面図であり、また、（ｄ）は施錠時の動作、（ｅ）は解錠時の動作を示す。
【図４】受座を示し、（ａ）は爪部材の３面図、（ｂ）は受座本体の３面図である。
【図５】受座本体の他の例を示し、（ａ）は施錠部材を取り付けた正面図、（ｂ）は受座本体の３面図である。
【図６】同防犯錠を示し、（ａ）は施錠部材保持片とクランプホルダーとを一体化した状態を、（ｂ）は施錠部材保持片とクランプホルダーとを分離した状態を、それぞれ示す平面図である。
【図７】クランプホルダーの組立工程を示す平面図である。
【図８】クランプホルダーの組立工程を示す正面図である。
【図９】施錠部材の参考例を示す分解斜視図である。
【図１０】本発明の防犯錠の第２実施例を示す組立工程図である。
【図１１】施錠部材を示し、（ａ）〜（ｄ）はその４面図、（ｅ）は（ｄ）のＡ−Ａ線断面図である。
【図１２】受座の３面図である。
【図１３】施錠部材保持片とクランプホルダーの２面図である。
【符号の説明】
【００３４】
１    開き戸（扉）
２    戸枠
３    施錠部材保持片
３１  透孔
４    クランプホルダー
４１  ホルダー本体
４２  ねじボルト
４３  把持片
４４  ロックプレート
４５  ばね
５    施錠部材
５０  本体
５１  シリンダ錠（錠機構）
５２  鍵
５３  スリット状の穴
５４  ラッチボール
５５  孔
５６  孔縁部
６    受座
６１  爪部材
６２  受座本体
６３  粘着テープ
６４  ビス孔
６５  溝部
６６  フック片
６７  位置決め片
７    位置保持部材（マグネット）
【図１】
2005098062.tif 000003
【図２】
2005098062.tif 000004
【図３】
2005098062.tif 000005
【図４】
2005098062.tif 000006
【図５】
2005098062.tif 000007
【図６】
2005098062.tif 000008
【図７】
2005098062.tif 000009
【図８】
2005098062.tif 000010
【図９】
2005098062.tif 000011
【図１０】
2005098062.tif 000012
【図１１】
2005098062.tif 000013
【図１２】
2005098062.tif 000014
【図１３】
2005098062.tif 000015